(57)【要約】【課題】画像形成装置における不可視トナーの利用可能状態に依らず、原本性を保証するための印刷を行うことができるようにすること。【解決手段】印刷システムは、画像形成装置において不可視トナーによる印刷が可能か否かを判断する判断部と、不可視トナーによる印刷が可能と判断された場合、不可視トナーを用いて原本性を保証する印刷を画像形成装置に行わせるための印刷データを形成し、不可視トナーによる印刷が可能ではないと判断された場合、不可視トナー以外の他のトナーを用いて原本性を保証する印刷を画像形成装置に行わせるための印刷データを形成する、印刷データ形成部とを備える。【選択図】図４
2019159163.tif 000002
【特許請求の範囲】
【請求項１】
画像形成装置において不可視トナーによる印刷が可能か否かを判断する判断部と、
前記不可視トナーによる印刷が可能と判断された場合、前記不可視トナーを用いて原本性を保証する印刷を前記画像形成装置に行わせるための印刷データを形成し、前記不可視トナーによる印刷が可能ではないと判断された場合、前記不可視トナー以外の他のトナーを用いて前記原本性を保証する印刷を前記画像形成装置に行わせるための印刷データを形成する、印刷データ形成部と
を備えることを特徴とする印刷システム。
【請求項２】
前記印刷データ形成部は、
前記不可視トナーによる印刷が可能ではないと判断された場合、前記不可視トナー以外の他のトナーを用いて前記原本性を保証する地紋の印刷を前記画像形成装置に行わせるための印刷データを形成する
ことを特徴とする請求項１に記載の印刷システム。
【請求項３】
前記判断部は、
前記画像形成装置において、Ｃトナー、Ｍトナー、Ｙトナー、またはＫトナーのいずれかに代替して、前記不可視トナーが装着されている場合、前記不可視トナーによる印刷が可能であると判断する
ことを特徴とする請求項１または２に記載の印刷システム。
【請求項４】
前記判断部は、
前記画像形成装置において、Ｃトナー、Ｍトナー、Ｙトナー、およびＫトナーに加えて、前記不可視トナーが装着されている場合、前記不可視トナーによる印刷が可能であると判断する
ことを特徴とする請求項１または２に記載の印刷システム。
【請求項５】
前記画像形成装置に装着されているトナーの種類を検知する検知部をさらに備え、
前記判断部は、
前記検知部によって検知された前記トナーの種類に、前記不可視トナーが含まれている場合、前記画像形成装置において前記不可視トナーによる印刷が可能であると判断する
ことを特徴とする請求項１から４のいずれか一項に記載の印刷システム。
【請求項６】
ユーザに対し、前記原本性を保証する印刷に関する印刷設定を行うことが可能なユーザインタフェースを提供するＵＩ部をさらに備え、
前記判断部は、
前記印刷設定において、前記不可視トナーを用いて前記原本性を保証する印刷を前記画像形成装置に行わせる設定がなされている場合、前記画像形成装置において前記不可視トナーによる印刷が可能であると判断する
ことを特徴とする請求項１から５のいずれか一項に記載の印刷システム。
【請求項７】
画像形成装置による印刷を制御する印刷制御装置であって、
前記画像形成装置において不可視トナーによる印刷が可能か否かを判断する判断部と、
前記不可視トナーによる印刷が可能と判断された場合、前記不可視トナーを用いて原本性を保証する印刷を前記画像形成装置に行わせるための印刷データを形成し、前記不可視トナーによる印刷が可能ではないと判断された場合、前記不可視トナー以外の他のトナーを用いて前記原本性を保証する印刷を前記画像形成装置に行わせるための印刷データを形成する、印刷データ形成部と
を有することを特徴とする印刷制御装置。
【請求項８】
印刷機構を備えた画像形成装置であって、
前記印刷機構において不可視トナーによる印刷が可能か否かを判断する判断部と、
前記不可視トナーによる印刷が可能と判断された場合、前記不可視トナーを用いて原本性を保証する印刷を前記印刷機構に行わせるための印刷データを形成し、前記不可視トナーによる印刷が可能ではないと判断された場合、前記不可視トナー以外の他のトナーを用いて前記原本性を保証する印刷を前記印刷機構に行わせるための印刷データを形成する、印刷データ形成部と
を有することを特徴とする画像形成装置。
【請求項９】
画像形成装置において不可視トナーによる印刷が可能か否かを判断する判断工程と、
前記不可視トナーによる印刷が可能と判断された場合、前記不可視トナーを用いて原本性を保証する印刷を前記画像形成装置に行わせるための印刷データを形成し、前記不可視トナーによる印刷が可能ではないと判断された場合、前記不可視トナー以外の他のトナーを用いて前記原本性を保証する印刷を前記画像形成装置に行わせるための印刷データを形成する、印刷データ形成工程と
を含むことを特徴とする印刷制御方法。
【請求項１０】
コンピュータを、
画像形成装置において不可視トナーによる印刷が可能か否かを判断する判断部、および、
前記不可視トナーによる印刷が可能と判断された場合、前記不可視トナーを用いて原本性を保証する印刷を前記画像形成装置に行わせるための印刷データを形成し、前記不可視トナーによる印刷が可能ではないと判断された場合、前記不可視トナー以外の他のトナーを用いて前記原本性を保証する印刷を前記画像形成装置に行わせるための印刷データを形成する、印刷データ形成部
として機能させるためのプログラム。
【発明の詳細な説明】
【技術分野】
【０００１】
本発明は、印刷システム、印刷制御装置、画像形成装置、印刷制御方法、およびプログラムに関する。
【背景技術】
【０００２】
例えば、下記特許文献１には、文書画像を可視トナーにより形成し、コード画像を不可視トナーにより形成することが可能な画像形成装置において、不可視トナーの供給の不具合を検出し、検出された不可視トナーの供給の不具合に応じて、コード画像の形成方法を、他の方法（例えば、不可視トナーの使用量が削減される方法、不可視トナーを使用しない方法、等）に変更する技術が開示されている。
【発明の概要】
【発明が解決しようとする課題】
【０００３】
しかしながら、上記特許文献１の技術では、不可視トナーを使用せずにコード画像を形成した場合、例えば、当該コード画像が印刷された印刷媒体をコピーした場合には、コピー先の印刷媒体に対しても、同様のコード画像が印刷されることとなるため、コピー元の印刷媒体の原本性を保証することができない。
【０００４】
本発明は、上述した従来技術の課題を解決するため、画像形成装置における不可視トナーの利用可能状態に依らず、原本性を保証するための印刷を行うことができるようにすることを目的とする。
【課題を解決するための手段】
【０００５】
上述した課題を解決するために、本発明の印刷システムは、画像形成装置において不可視トナーによる印刷が可能か否かを判断する判断部と、不可視トナーによる印刷が可能と判断された場合、不可視トナーを用いて原本性を保証する印刷を画像形成装置に行わせるための印刷データを形成し、不可視トナーによる印刷が可能ではないと判断された場合、不可視トナー以外の他のトナーを用いて原本性を保証する印刷を画像形成装置に行わせるための印刷データを形成する、印刷データ形成部とを備える。
【発明の効果】
【０００６】
本発明によれば、画像形成装置における不可視トナーの利用可能状態に依らず、原本性を保証するための印刷を行うことができる。
【図面の簡単な説明】
【０００７】
【図１】本発明の第１実施形態に係る印刷システムの構成を示す図である。
【図２】本発明の一実施形態に係るプリンタの概略構成を示す図である。
【図３】本発明の一実施形態に係るＰＣのハードウェア構成を示す図である。
【図４】本発明の第１実施形態に係る印刷システムの機能構成を示す図である。
【図５】本発明の第１実施形態に係るＰＣにおいて提供されるＵＩの一例を示す図である。
【図６】本発明の第１実施形態に係る印刷システムによる処理シーケンスを示す図である。
【図７】本発明の第１実施形態に係る印刷システムによる処理シーケンスを示す図である。
【図８】本発明の第１実施形態に係る印刷システムによる処理シーケンスを示す図である。
【図９】本発明の第１実施形態に係るＰＣによる原本保証機能の判定ロジックを示すフローチャートである。
【図１０】本発明の第２実施形態に係る印刷システムの機能構成を示す図である。
【図１１】本発明の第２実施形態に係る印刷システムによる処理シーケンスを示す図である。
【図１２】本発明の第２実施形態に係る印刷システムによる処理シーケンスを示す図である。
【図１３】本発明の第２実施形態に係る印刷システムによる処理シーケンスを示す図である。
【図１４】本発明の第２実施形態に係るプリンタによる原本保証機能の判定ロジックを示すフローチャートである。
【図１５】本発明の第２実施形態に係る印刷システムにおいてプリンタへ送信される印刷設定情報の一例を示す図である。
【発明を実施するための形態】
【０００８】
〔第１実施形態〕
以下、図面を参照して、本発明の第１実施形態について説明する。
【０００９】
（印刷システム１０の構成）
図１は、本発明の第１実施形態に係る印刷システム１０の構成を示す図である。図１に示す印刷システム１０は、ＰＣ（Personal Computer）１００および複数のプリンタ１５０を備えて構成されている。ＰＣ１００は、「印刷制御装置」の一例であり、各プリンタ１５０による印刷を制御する装置である。各プリンタ１５０は、「画像形成装置」の一例であり、印刷媒体に対して印刷を行う装置である。各プリンタ１５０は、ＰＣ１００と通信可能に接続されている。例えば、図１に示す例では、１台のプリンタ１５０が、通信ケーブル１４を介して、ＰＣ１００と直接的に接続されている。通信ケーブル１４としては、例えば、ＵＳＢ（Universal Serial Bus）ケーブル等が挙げられる。また、図１に示す例では、他の１台のプリンタ１５０が、ネットワーク１２を介して、ＰＣ１００と接続されている。ネットワーク１２としては、例えば、社内ＬＡＮ（Local Area Network）、ＶＰＮ（Virtual Private Network）等が挙げられる。ＰＣ１００とネットワーク１２との接続方式は、無線通信接続であってもよく、有線通信接続であってもよい。なお、「印刷制御装置」は、ＰＣに限らず、例えば、タブレット端末、スマートフォン等、如何なる装置であってもよい。また、「印刷制御装置」は、プリンタ１５０に内蔵されたものであってもよい。
【００１０】
第１実施形態では、各プリンタ１５０として、Ｙ（Yellow）トナー１６２Ｙ、Ｃ（Cyan）トナー１６２Ｃ、Ｍ（Magenta）トナー１６２Ｍ、およびＫ（Black）トナー１６２Ｋを含む、４つのトナーを搭載可能なカラープリンタを用いることとする。そして、第１実施形態では、各プリンタ１５０に対し、Ｋトナーの代わりに、不可視トナー（「透明色トナー」の一例）を装着することとする。不可視トナーとは、視認することが困難であり、且つ、専用の装置によって認識可能なトナーのことである。
【００１１】
（プリンタ１５０の構成）
図２は、本発明の一実施形態に係るプリンタ１５０の概略構成を示す図である。図２に示すように、プリンタ１５０は、光学装置１５１、感光体ドラム１５２、現像ローラ１５３、転写ローラ１５４、転写ベルト１５５、転写ローラ１５６、定着装置１５７、搬送装置１５８、用紙トレイ１５９、搬送路１６０、排紙トレイ１６１、および記録紙１６２を備えている。
【００１２】
光学装置１５１は、レーザダイオード等をレーザ光源として用いている。光学装置１５１は、一様に帯電した状態の感光体ドラム１５２に対して、外部（例えば、ＰＣ１００）から入力された印刷データに応じたレーザ光の照射を行う。
【００１３】
感光体ドラム１５２は、一様に帯電した状態で、印刷データに応じたレーザ光が表面に照射されることにより、レーザ光が照射された部分だけ電荷が消失する。これにより、感光体ドラム１５２の表面には、印刷データに応じた潜像が形成される。ここで形成された潜像は、感光体ドラム１５２の回転に伴って、対応する現像ローラ１５３の方向へと移動する。
【００１４】
現像ローラ１５３は、回転しながら、トナーカートリッジから供給されたトナーを、その表面に付着させる。そして、現像ローラ１５３は、その表面に付着されたトナーを、感光体ドラム１５２の表面に形成された潜像に付着させる。これにより、現像ローラ１５３は、感光体ドラム１５２の表面に形成された潜像を顕像化して、感光体ドラム１５２の表面にトナー像を形成する。
【００１５】
感光体ドラム１５２の表面に形成されたトナー像は、感光体ドラム１５２と転写ローラ１５４との間において、転写ベルト１５５上に転写される。これにより、転写ベルト１５５上に、トナー画像が形成される。
【００１６】
なお、本実施形態のプリンタ１５０は、光学装置１５１、感光体ドラム１５２、現像ローラ１５３、および転写ローラ１５４が、４つのトナー（Ｙトナー１６２Ｙ、Ｃトナー１６２Ｃ、Ｍトナー１６２Ｍ、およびＭトナー１６２Ｋ）の各々に対して設けられている。これにより、本実施形態のプリンタ１５０は、転写ベルト１５５上に、各印刷色（Ｙ、Ｃ、Ｍ、およびＫ）のトナー画像が形成することができるようになっている。
【００１７】
搬送装置１５８は、用紙トレイ１５９から搬送路１６０へ、記録紙１６２を送出する。搬送路１６０に送出された記録紙１６２は、転写ベルト１５５と転写ローラ１５６との間に搬送される。これにより、転写ベルト１５５と転写ローラ１５６との間において、転写ベルト１５５上に形成された各印刷色のトナー画像が、記録紙１６２に転写される。その後、記録紙１６２は、定着装置１５７によって熱および圧力が加えられることにより、トナー画像が定着される。そして、記録紙１６２は、排紙トレイ１６１に搬送される。
【００１８】
（ＰＣ１００のハードウェア構成）
図３は、本発明の一実施形態に係るＰＣ１００のハードウェア構成を示す図である。図３に示すように、ＰＣ１００は、ＣＰＵ（Central Processing Unit）１１、ＲＯＭ（Read Only Memory）１２、ＲＡＭ（Random Access Memory）１３、ＨＤＤ（Hard Disk Drive）１４、表示装置１５、入力装置１６、および通信Ｉ／Ｆ１７を備えている。各ハードウェアは、バス１８を介して相互に接続されている。
【００１９】
ＣＰＵ１１は、ＲＯＭ１２またはＨＤＤ１４に記憶されている各種プログラムを実行する。ＲＯＭ１２は、不揮発性メモリである。例えば、ＲＯＭ１２は、ＣＰＵ１１により実行される各種プログラム、ＣＰＵ１１が各種プログラムを実行するために必要なデータ等を記憶する。ＲＡＭ１３は、ＤＲＡＭ（Dynamic Random Access Memory）やＳＲＡＭ（Static Random Access Memory）等の主記憶装置である。例えば、ＲＡＭ１３は、ＣＰＵ１１が各種プログラムを実行する際に利用する作業領域として機能する。
【００２０】
ＨＤＤ１４は、不揮発性の記憶装置である。例えば、ＨＤＤ１４は、ＣＰＵ１１により実行される各種プログラム、ＣＰＵ１１が各種プログラムを実行するために必要なデータ等を記憶する。
【００２１】
表示装置１５は、各種情報を表示する。表示装置１５としては、例えば、液晶ディスプレイ、有機ＥＬディスプレイ等が挙げられる。入力装置１６は、各種情報を入力するためにユーザによって操作される。入力装置１６としては、例えば、キーボード、マウス等が挙げられる。通信Ｉ／Ｆ１７は、通信ケーブル１４、ネットワーク１２等を介して、外部の装置（例えば、プリンタ１５０）との通信を行うためのインタフェースである。
【００２２】
（印刷システム１０の機能構成）
図４は、本発明の第１実施形態に係る印刷システム１０の機能構成を示す図である。
【００２３】
＜ＰＣ１００の機能構成＞
図４に示すように、ＰＣ１００は、アプリケーション１１０、ドライバ１２０、および通信部１３０を備えている。ドライバ１２０は、ＵＩ（User Interface）部１２１、設定保持部１２２、および描画部１２０Ａを備えている。描画部１２０Ａは、アプリケーションＩ／Ｆ部１２３、判断部１２４、文字列付加部１２５、地紋生成部１２６、色変換部１２７、およびＰＤＬ生成部１２８を有している。
【００２４】
ＵＩ部１２１は、ユーザに対して、印刷設定を行うためのＵＩを提供する。設定保持部１２２は、ＵＩ部１２１から提供されたＵＩに対してユーザが行った印刷設定を保持する。アプリケーションＩ／Ｆ部１２３は、アプリケーション１１０から文書画像用の印刷データを受け取る。なお、本実施形態におけるアプリケーション１１０とは、印刷機能を備えた如何なるアプリケーションであってもよい。
【００２５】
判断部１２４は、プリンタ１５０の検知部２５３によって検知されたトナーの種類（すなわち、通信部１３０によって受信された検知結果データ）に基づいて、プリンタ１５０において不可視トナーによる印刷が可能か否かを判断する。例えば、判断部１２４は、プリンタ１５０において、Ｃトナー、Ｍトナー、Ｙトナー、またはＫトナーのいずれかに代替して、不可視トナーが装着されていることが、検知部２５３によって検知された場合、不可視トナーによる印刷が可能であると判断する。反対に、判断部１２４は、プリンタ１５０において、Ｃトナー、Ｍトナー、Ｙトナー、またはＫトナーのいずれかに代替して、不可視トナーが装着されていないことが、検知部２５３によって検知された場合、不可視トナーによる印刷が可能ではないと判断する。
【００２６】
なお、判断部１２４は、上記印刷設定において、不可視トナーを用いて原本性を保証する印刷をプリンタ１５０に行わせる設定がなされている場合（例えば、図５に示すＵＩ画面５００において、「不可視トナー」が選択された場合）、プリンタ１５０において不可視トナーによる印刷が可能であると判断することができる。反対に、判断部１２４は、上記印刷設定において、不可視トナーを用いて原本性を保証する印刷をプリンタ１５０に行わせる設定がなされていない場合（例えば、図５に示すＵＩ画面５００において、「地紋」が選択された場合）、プリンタ１５０において不可視トナーによる印刷が可能ではないと判断することができる。
【００２７】
文字列付加部１２５は、設定保持部１２２によって保持されている印刷設定から、原本を保証するための付加文字列を取得し、アプリケーションＩ／Ｆ部１２３がアプリケーション１１０から受け取った文書画像用の印刷データに対して、当該付加文字列を付加する。
【００２８】
地紋生成部１２６は、判断部１２４によって不可視トナーによる印刷が可能ではないと判断された場合、文字列付加部１２５によって付加された付加文字列の地紋を生成する。
【００２９】
色変換部１２７は、文字列付加部１２５によって原本を保証するための付加文字列が付加された文書画像用の印刷データを、トナー毎の印刷データに変換する。
【００３０】
例えば、色変換部１２７は、判断部１２４によって不可視トナーによる印刷が可能であると判断された場合、文書画像用の印刷データを、Ｃトナー、Ｍトナー、およびＹトナーを用いた印刷データに変換し、付加文字列用の印刷データを、不可視トナーを用いた印刷データに変換する。
【００３１】
また、例えば、色変換部１２７は、判断部１２４によって不可視トナーによる印刷が可能ではないと判断された場合、文書画像用の印刷データを、Ｃトナー、Ｍトナー、Ｙトナー、およびＫトナーを用いた印刷データに変換し、付加文字列用の印刷データを、地紋生成部１２６によって生成された地紋用の印刷データに置き換えて、当該地紋用の印刷データを、Ｋトナーを用いた印刷データに変換する。
【００３２】
ＰＤＬ生成部１２８は、色変換部１２７による変換後の印刷データ（すなわち、トナー毎の印刷データ）を、ＰＤＬ（Page Description Language）コマンド形式の印刷データに変換する。
【００３３】
通信部１３０は、プリンタ１５０との間で、各種データの送受信を行う。例えば、通信部１３０は、ＰＤＬ生成部１２８によって生成されたＰＤＬコマンド形式の印刷データを、プリンタ１５０へ送信する。また、通信部１３０は、プリンタ１５０から送信された、検知部２５３による検知結果を示す検知結果データを受信する。
【００３４】
なお、上記したＰＣ１００の各機能は、例えば、ＰＣ１００において、ＲＯＭ１２またはＨＤＤ１４に記憶されたプログラムを、ＣＰＵ１１（コンピュータ）が実行することにより実現される。このプログラムは、予めＰＣ１００に導入された状態で提供されてもよく、外部から提供されてＰＣ１００に導入されるようにしてもよい。後者の場合、このプログラムは、外部記憶媒体（例えば、ＵＳＢメモリ、メモリカード、ＣＤ−ＲＯＭ等）によって提供されてもよく、ネットワーク（例えば、インターネット等）上のサーバからダウンロードすることによって提供されるようにしてもよい。
【００３５】
＜プリンタ１５０の機能構成＞
図４に示すように、プリンタ１５０は、通信部２５１、印刷部２５２、および検知部２５３を備えている。
【００３６】
通信部２５１は、ＰＣ１００との間で、各種データの送受信を行う。例えば、通信部２５１は、検知部２５３による検知結果を示す検知結果データを、ＰＣ１００へ送信する。また、通信部２５１は、ＰＣ１００から送信された印刷データを受信する。
【００３７】
印刷部２５２は、通信部２５１によって受信された印刷データに基づいて、各種画像を印刷媒体に印刷する。具体的には、印刷部２５２は、当該印刷部２５２に不可視トナーが装着されている場合には、アプリケーション１１０から出力された文書画像を、Ｃトナー、Ｍトナー、およびＹトナーを用いて印刷媒体に印刷し、さらに、原本保証のための付加文字列を、不可視トナーを用いて印刷媒体に印刷する。一方、印刷部２５２は、当該印刷部２５２に不可視トナーが装着されていない場合には、アプリケーション１１０から出力された文書画像を、Ｃトナー、Ｍトナー、Ｙトナー、およびＫトナーを用いて印刷媒体に印刷し、さらに、原本保証のための地紋を、Ｋトナーを用いて印刷媒体に印刷する。
【００３８】
検知部２５３は、印刷部２５２に装着されているトナーの種類を検知する。例えば、検知部２５３は、印刷部２５２に、Ｃトナー、Ｍトナー、Ｙトナー、およびＫトナーが装着されていることを検知する。すなわち、この場合、検知部２５３は、印刷部２５２に、不可視トナーが装着されていないことを検知する。また、例えば、検知部２５３は、印刷部２５２に、Ｃトナー、Ｍトナー、Ｙトナー、および不可視トナーが装着されていることを検知する。すなわち、この場合、検知部２５３は、印刷部２５２に、Ｋトナーの代わりに不可視トナーが装着されていることを検知する。例えば、検知部２５３は、印刷部２５２に装着されている各トナーから、トナーの種類を識別可能な識別情報を取得することにより、印刷部２５２に装着されているトナーの種類を検知する。
【００３９】
（ＵＩの一例）
図５は、本発明の第１実施形態に係るＰＣ１００において提供されるＵＩの一例を示す図である。図５に示すＵＩ画面５００は、ＵＩ部１２１の制御により、ＰＣ１００が備える表示装置１５に表示される設定画面であり、ユーザが、原本保証に関する印刷設定を行うことが可能な設定画面である。図５に示すように、ＵＩ画面５００は、自動チェックボックス５０１、不可視トナーチェックボックス５０２、地紋チェックボックス５０３、ＯＦＦチェックボックス５０４、入力欄５０５、選択欄５０６、ＯＫボタン５０７、およびキャンセルボタン５０８を備えている。
【００４０】
ＵＩ画面５００において、自動チェックボックス５０１が選択された場合、判断部１２４は、不可視トナーによる印刷が可能か否かの判断を、プリンタ１５０から取得した検知結果情報に基づいて自動的に判断する。
【００４１】
また、ＵＩ画面５００において、不可視トナーチェックボックス５０２が選択された場合、判断部１２４は、不可視トナーによる印刷が可能であると判断する。この場合、ドライバ１２０（描画部１２０Ａ）は、アプリケーション１１０から受け取った印刷データに対して、原本を保証するための不可視トナーによる付加文字列（入力欄５０５に入力された付加文字列）を付加する。
【００４２】
また、ＵＩ画面５００において、地紋チェックボックス５０３が選択された場合、判断部１２４は、不可視トナーによる印刷が可能ではないと判断する。この場合、ドライバ１２０（描画部１２０Ａ）は、アプリケーション１１０から受け取った印刷データに対して、原本を保証するための地紋による付加文字列（入力欄５０５に入力された付加文字列）を付加する。
【００４３】
また、ＵＩ画面５００において、ＯＦＦチェックボックス５０４が選択された場合、ドライバ１２０（描画部１２０Ａ）は、アプリケーション１１０から受け取った印刷データに対して、原本を保証するための付加文字列の付加を行わない。
【００４４】
入力欄５０５は、原本を保証するための付加文字列として、任意の付加文字列が入力される。
【００４５】
選択欄５０６は、原本を保証するための付加文字列の印刷位置として、予め定義された複数の印刷位置の中から、任意の印刷位置が選択される。
【００４６】
ＯＫボタン５０７が選択されると、当該ＵＩ画面５００による印刷設定が有効化され、当該印刷設定が、設定保持部１２２によって保持される。キャンセルボタン５０８が選択されると、当該ＵＩ画面５００による印刷設定がキャンセルされる。
【００４７】
（印刷システム１０による処理シーケンス）
図６〜図８は、本発明の第１実施形態に係る印刷システム１０による処理シーケンスを示す図である。なお、図７は、図６に続く処理シーケンスを示す。また、図８は、図７に続く処理シーケンスを示す。
【００４８】
＜シーケンス１＞
まず、図６に示すように、ＰＣ１００において、アプリケーション１１０から、ＵＩ部１２１から提供されたＵＩ画面５００（図５参照）に対して、原本保証に関する印刷設定がなされる（１）。この設定は、設定保持部１２２に保持される（１．１）。なお、ここでは、図５に示すように、ＵＩ画面５００おいて、原本保証の印刷方法として、「自動」が選択されたものとする。
【００４９】
＜シーケンス２．＞
次に、図７に示すように、印刷が開始され、アプリケーション１１０から、アプリケーションＩ／Ｆ部１２３に対し、１ページ目の文書画像用の印刷データが送信される（２）。アプリケーションＩ／Ｆ部１２３は、当該文書画像用の印刷データを受信すると、当該文書画像用の印刷データをトナー毎の印刷データに変換するように、色変換部１２７に対して指示する（２．１）。
【００５０】
色変換部１２７は、当該指示を受信すると、判断部１２４に対して、トナーの装着状態の確認要求を行う（２．１．１）。判断部１２４は、当該確認要求を受信すると、当該確認要求をプリンタ１５０へ送信するように、通信部１３０に対して指示する（２．１．１．１）。通信部１３０は、当該指示を受信すると、トナーの装着状態の確認要求を、プリンタ１５０へ送信する（２．１．１．１．１）。プリンタ１５０において、通信部２５１が、当該確認要求を受信すると、通信部２５１は、当該確認要求を、検知部２５３へ転送する（２．１．１．１．１．１）。
【００５１】
検知部２５３は、当該確認要求を受信すると、プリンタ１５０の印刷部２５２に装着されているトナーの種類を検知し、当該検知結果を、通信部２５１へ返す。当該検知結果は、通信部２５１および通信部１３０を介して、判断部１２４へ返される。
【００５２】
判断部１２４は、当該検知結果を受信すると、当該検知結果に基づいて、不可視トナーによる原本保証の印刷を行うか、地紋による原本保証の印刷を行うかを判断する（２．１．１．２）。具体的には、判断部１２４は、当該検知結果において、プリンタ１５０の印刷部２５２に不可視トナーが装着されていることが示されている場合（すなわち、Ｋトナーの代わりに不可視トナーが装着されていることが示されている場合）、不可視トナーによる原本保証の印刷を行うと判断する。一方、判断部１２４は、当該検知結果において、プリンタ１５０の印刷部２５２に不可視トナーが装着されていないことが示されている場合、地紋による原本保証の印刷を行うと判断する。そして、判断部１２４は、当該判断結果を、色変換部１２７へ返す。
【００５３】
次に、図８に示すように、色変換部１２７は、判断部１２４から返された、原本保証の印刷方法の判断結果を受信すると、文字列付加部１２５に対し、原本を保証するための付加文字列を要求する（２．１．２）。文字列付加部１２５は、当該要求を受信すると、原本を保証するための付加文字列を、設定保持部１２２に保持されている印刷設定から取得する（２．１．２．１）。そして、文字列付加部１２５は、設定保持部１２２から取得した付加文字列を、色変換部１２７へ返す。
【００５４】
色変換部１２７は、原本を保証するための付加文字列を受信すると、アプリケーションＩ／Ｆ部１２３から受け取った文書画像用の印刷データを、トナー毎の印刷データへ変換する（２．１．３）。
【００５５】
具体的には、色変換部１２７は、判断部１２４によって不可視トナーによる原本保証の印刷を行うと判断された場合、アプリケーションＩ／Ｆ部１２３から受け取った文書画像用の印刷データを、Ｃトナー、Ｍトナー、およびＹトナーを用いて印刷するための、印刷データに変換する。また、色変換部１２７は、原本を保証するための付加文字列用の印刷データを、不可視トナーを用いて印刷するための、印刷データに変換する。ここで、色変換部１２７は、本来、Ｋトナーを用いて印刷すべき、黒系の色の印刷データについては、Ｃトナー、Ｍトナー、およびＹトナーを均等に混ぜ合わせて、当該黒系の色が表現されるように、印刷データの変換を行う。
【００５６】
一方、色変換部１２７は、判断部１２４によって地紋による原本保証の印刷を行うと判断された場合、アプリケーションＩ／Ｆ部１２３から受け取った文書画像用の印刷データを、Ｃトナー、Ｍトナー、Ｙトナー、およびＫトナーを用いて印刷するための、印刷データに変換する。
【００５７】
なお、色変換部１２７は、アプリケーションＩ／Ｆ部１２３から受け取った文書画像用の印刷データに対して、カラーマッチングやディザ等の画像処理を行ってもよいが、原本を保証するための付加文字列用の印刷データに対して、カラーマッチングやディザ等の画像処理を行わなくともよい。
【００５８】
続いて、色変換部１２７は、生成されたトナー毎の印刷データを、ＰＤＬコマンド形式の印刷データに変換するように、ＰＤＬ生成部１２８へ要求する（２．１．４）。ＰＤＬ生成部１２８は、当該要求を受信すると、色変換部１２７によって生成されたトナー毎の印刷データを、ＰＤＬコマンド形式の印刷データに変換する。ここで、ＰＤＬ生成部１２８は、判断部１２４によって地紋による原本保証の印刷を行うと判断された場合、地紋生成部１２６に対し、原本を保証するための地紋を生成するように要求する（２．１．４．１）。地紋生成部１２６は、この要求に応じて、原本を保証するための地紋を生成すると、当該地紋を、ＰＤＬ生成部１２８へ返す。ＰＤＬ生成部１２８は、当該地紋を受信すると、当該地紋を、ＰＤＬコマンド形式の印刷データに変換する（２．１．４．２）。
【００５９】
そして、ＰＤＬ生成部１２８は、各ＰＤＬコマンド形式の印刷データを、プリンタ１５０へ送信するように、通信部１３０に対して指示する（２．１．４．３）。通信部１３０は、当該指示を受信すると、各ＰＤＬコマンド形式の印刷データを、プリンタ１５０へ送信する（２．１．４．３．１）。プリンタ１５０において、通信部２５１が、当該印刷データを受信すると、通信部２５１が、当該印刷データを、印刷部２５２へ転送する（２．１．４．３．１．１）。印刷部２５２は、当該印刷データを受信すると、当該印刷データに基づく印刷を行う。
【００６０】
上記シーケンスにより、プリンタ１５０によって、アプリケーション１１０から送信された、１ページ目の文書画像が印刷媒体に印刷されることとなる。
【００６１】
特に、プリンタ１５０の印刷部２５２に不可視トナーが装着されている場合には、１ページ目の文書画像が、Ｃトナー、Ｍトナー、およびＹトナーを用いて印刷媒体に印刷され、さらに、原本保証のための付加文字列が、不可視トナーを用いて印刷媒体に印刷されることとなる。
【００６２】
一方、プリンタ１５０の印刷部２５２に不可視トナーが装着されていない場合には、１ページ目の文書画像が、Ｃトナー、Ｍトナー、Ｙトナー、およびＫトナーを用いて印刷媒体に印刷され、さらに、原本保証のための地紋による付加文字列が、Ｋトナーを用いて印刷媒体に印刷されることとなる。
【００６３】
なお、ＰＣ１００は、不可視トナーを用いて原本を保証するための付加文字列を印刷する場合、先に、文書画像用の印刷データをプリンタ１５０へ送信し、その後、付加文字列用の印刷データをプリンタ１５０へ送信することが好ましい。これにより、文書画像の印刷が行われた後に、その上に重ねて、不可視トナーによる付加文字列の印刷が行われるため、不可視トナーによる付加文字列の印刷の効果を高めることができるからである。
【００６４】
一方、ＰＣ１００は、Ｋトナーを用いて原本を保証するための地紋を印刷する場合において、地紋を目立たせたい場合には、先に、文書画像用の印刷データをプリンタ１５０へ送信し、その後、地紋用の印刷データをプリンタ１５０へ送信するとよい。反対に、地紋を目立たせたくない場合には、先に、地紋用の印刷データをプリンタ１５０へ送信し、その後、文書画像用の印刷データをプリンタ１５０へ送信するとよい。
【００６５】
（原本保証機能の判定ロジック）
図９は、本発明の第１実施形態に係るＰＣ１００による原本保証機能の判定ロジックを示すフローチャートである。
【００６６】
まず、ＰＣ１００は、設定保持部１２２に保持されている印刷設定において、原本保証機能に「ＯＮ」が設定されているか否かを判断する（ステップＳ９０１）。ステップＳ９０１において、原本保証機能に「ＯＮ」が設定されていないと判断された場合（ステップＳ９０１：Ｎｏ）、ＰＣ１００は、図９に示す一連の処理を終了する。
【００６７】
一方、ステップＳ９０１において、原本保証機能に「ＯＮ」が設定されていると判断された場合（ステップＳ９０１：Ｙｅｓ）、ＰＣ１００は、設定保持部１２２に保持されている印刷設定において、原本保証機能に「自動」が設定されているか否かを判断する（ステップＳ９０２）。
【００６８】
ステップＳ９０２において、原本保証機能に「自動」が設定されていないと判断された場合（ステップＳ９０２：Ｎｏ）、ＰＣ１００は、設定保持部１２２に保持されている印刷設定においてユーザが任意に指定した方法（不可視トナーを用いた印刷方法、または、Ｋトナーを用いた地紋による印刷方法）により、付加文字列を印刷媒体に印刷するための、印刷データを生成する（ステップＳ９０３）。そして、ＰＣ１００は、図９に示す一連の処理を終了する。
【００６９】
一方、ステップＳ９０２において、原本保証機能に「自動」が設定されていると判断された場合（ステップＳ９０２：Ｙｅｓ）、ＰＣ１００は、プリンタ１５０の印刷部２５２に、不可視トナーが装着されているか否かを判断する（ステップＳ９０４）。
【００７０】
ステップＳ９０４において、不可視トナーが装着されていると判断された場合（ステップＳ９０４：Ｙｅｓ）、ＰＣ１００は、不可視トナーを用いて原本保証のための付加文字列を印刷媒体に印刷するための、印刷データを生成する（ステップＳ９０６）。そして、ＰＣ１００は、図９に示す一連の処理を終了する。
【００７１】
一方、ステップＳ９０４において、不可視トナーが装着されていないと判断された場合（ステップＳ９０４：Ｎｏ）、ＰＣ１００は、Ｋトナーを用いて地紋による付加文字列を印刷媒体に印刷するための、印刷データを生成する（ステップＳ９０５）。そして、ＰＣ１００は、図９に示す一連の処理を終了する。
【００７２】
〔第２実施形態〕
次に、本発明の第２実施形態について説明する。以下、第１実施形態からの変更点について説明する。
【００７３】
（印刷システム１０Ａの機能構成）
図１０は、本発明の第２実施形態に係る印刷システム１０Ａの機能構成を示す図である。図１０に示すように、第２実施形態に係る印刷システム１０Ａは、ＰＣ１００およびプリンタ１５０の代わりに、ＰＣ１００Ａおよびプリンタ１５０Ａを備えている点で、第１実施形態に係る印刷システム１０と異なる。
【００７４】
ＰＣ１００Ａは、判断部１２４および地紋生成部１２６を備えていない点で、ＰＣ１００と異なる。一方、プリンタ１５０Ａは、判断部２５４および地紋生成部２５５を備えている点で、プリンタ１５０Ａと異なる。
【００７５】
判断部２５４は、プリンタ１５０Ａの検知部２５３によって検知されたトナーの種類に基づいて、プリンタ１５０Ａにおいて不可視トナーによる印刷が可能か否かを判断する。例えば、判断部２５４は、プリンタ１５０Ａにおいて、Ｃトナー、Ｍトナー、Ｙトナー、またはＫトナーのいずれかに代替して、不可視トナーが装着されていることが、検知部２５３によって検知された場合、不可視トナーによる印刷が可能であると判断する。反対に、判断部２５４は、プリンタ１５０Ａにおいて、Ｃトナー、Ｍトナー、Ｙトナー、またはＫトナーのいずれかに代替して、不可視トナーが装着されていないことが、検知部２５３によって検知された場合、不可視トナーによる印刷が可能ではないと判断する。
【００７６】
なお、判断部２５４は、ＰＣ１００Ａの設定保持部１２２に保持されている印刷設定において、不可視トナーを用いて原本性を保証する印刷をプリンタ１５０Ａに行わせる設定がなされている場合（例えば、図５に示すＵＩ画面５００において、「不可視トナー」が選択された場合）、プリンタ１５０Ａにおいて不可視トナーによる印刷が可能であると判断することができる。反対に、判断部２５４は、ＰＣ１００Ａの設定保持部１２２に保持されている印刷設定において、不可視トナーを用いて原本性を保証する印刷をプリンタ１５０Ａに行わせる設定がなされていない場合（例えば、図５に示すＵＩ画面５００において、「地紋」が選択された場合）、プリンタ１５０Ａにおいて不可視トナーによる印刷が可能ではないと判断することができる。
【００７７】
地紋生成部２５５は、判断部２５４によって不可視トナーによる印刷が可能ではないと判断された場合、ＰＣ１００Ａの文字列付加部１２５によって付加された付加文字列の地紋を生成する。
【００７８】
（印刷システム１０Ａによる処理シーケンス）
図１１〜図１３は、本発明の第２実施形態に係る印刷システム１０Ａによる処理シーケンスを示す図である。なお、図１２は、図１１に続く処理シーケンスを示す。また、図１３は、図１２に続く処理シーケンスを示す。
【００７９】
＜シーケンス１＞
まず、図１１に示すように、ＰＣ１００Ａにおいて、アプリケーション１１０から、ＵＩ部１２１から提供されたＵＩ画面５００（図５参照）に対して、原本保証に関する印刷設定がなされる（１）。この設定は、設定保持部１２２に保持される（１．１）。なお、ここでは、図５に示すように、ＵＩ画面５００おいて、原本保証の印刷方法として、「自動」が選択されたものとする。
【００８０】
＜シーケンス２＞
次に、図１２に示すように、印刷が開始され、アプリケーション１１０から、アプリケーションＩ／Ｆ部１２３に対し、１ページ目の文書画像用の印刷データが送信される（２）。アプリケーションＩ／Ｆ部１２３は、当該文書画像用の印刷データを受信すると、当該文書画像用の印刷データをトナー毎の印刷データに変換するように、色変換部１２７に対して指示する（２．１）。
【００８１】
色変換部１２７は、当該指示を受信すると、文字列付加部１２５に対し、原本を保証するための付加文字列を要求する（２．１．１）。文字列付加部１２５は、当該要求を受信すると、原本を保証するための付加文字列を、設定保持部１２２に保持されている印刷設定から取得する（２．１．１．１）。そして、文字列付加部１２５は、設定保持部１２２から取得した付加文字列を、色変換部１２７へ返す。
【００８２】
色変換部１２７は、原本を保証するための付加文字列を受信すると、アプリケーションＩ／Ｆ部１２３から受け取った文書画像用の印刷データを、トナー毎の印刷データへ変換する（２．１．２）。
【００８３】
具体的には、色変換部１２７は、アプリケーションＩ／Ｆ部１２３から受け取った文書画像用の印刷データを、Ｃトナー、Ｍトナー、およびＹトナーを用いて印刷するための、印刷データに変換する。
【００８４】
続いて、色変換部１２７は、生成されたトナー毎の印刷データを、ＰＤＬコマンド形式の印刷データに変換するように、ＰＤＬ生成部１２８へ要求する（２．１．３）。ＰＤＬ生成部１２８は、当該要求を受信すると、色変換部１２７によって生成されたトナー毎の印刷データを、ＰＤＬコマンド形式の印刷データに変換する（２．１．３．１）。
【００８５】
次に、図１３に示すように、ＰＤＬ生成部１２８は、ＰＤＬコマンド形式の印刷データを、文字列付加部１２５によって得られた付加文字列とともに、プリンタ１５０Ａへ送信するように、通信部１３０に対して指示する（２．１．３．２）。通信部１３０は、当該指示を受信すると、ＰＤＬコマンド形式の印刷データを、文字列付加部１２５によって得られた付加文字列とともに、プリンタ１５０Ａへ送信する（２．１．３．２．１）。プリンタ１５０Ａにおいて、通信部２５１が、当該印刷データを受信すると、通信部２５１が、当該印刷データを、印刷部２５２へ転送する（２．１．３．２．１．１）。
【００８６】
印刷部２５２は、印刷データを受信すると、判断部２５４に対して、トナーの装着状態の確認要求を行う（２．１．３．２．１．１．１）。判断部２５４は、当該確認要求を受信すると、当該確認要求を、検知部２５３へ転送する（２．１．３．２．１．１．１．１）。
【００８７】
検知部２５３は、当該確認要求を受信すると、プリンタ１５０Ａの印刷部２５２に装着されているトナーの種類を検知し、当該検知結果を、判断部２５４へ返す。
【００８８】
判断部２５４は、当該検知結果を受信すると、当該検知結果に基づいて、不可視トナーによる原本保証の印刷を行うか、地紋による原本保証の印刷を行うかを判断する。具体的には、判断部２５４は、当該検知結果において、プリンタ１５０Ａの印刷部２５２に不可視トナーが装着されていることが示されている場合（すなわち、Ｋトナーの代わりに不可視トナーが装着されていることが示されている場合）、不可視トナーによる原本保証の印刷を行うと判断する。一方、判断部２５４は、当該検知結果において、プリンタ１５０Ａの印刷部２５２に不可視トナーが装着されていないことが示されている場合、地紋による原本保証の印刷を行うと判断する。そして、判断部２５４は、当該判断結果を、印刷部２５２へ返す。
【００８９】
印刷部２５２は、判断部２５４によって地紋による原本保証の印刷を行うと判断された場合、地紋生成部２５５に対し、原本を保証するための地紋を生成するように要求する（２．１．３．２．１．１．２）。
【００９０】
地紋生成部２５５は、この要求に応じて、原本を保証するための地紋を生成すると、当該地紋を、印刷部２５２へ返す。印刷部２５２は、当該地紋を受信すると、アプリケーション１１０から送信された、１ページ目の文書画像を印刷媒体に印刷する（２．１．３．２．１．１．３）。
【００９１】
具体的には、印刷部２５２は、プリンタ１５０Ａの印刷部２５２に不可視トナーが装着されている場合には、当該１ページ目の文書画像を、Ｃトナー、Ｍトナー、およびＹトナーを用いて印刷媒体に印刷し、さらに、原本保証のための付加文字列を、不可視トナーを用いて印刷媒体に印刷する。
【００９２】
一方、印刷部２５２は、プリンタ１５０Ａの印刷部２５２に不可視トナーが装着されていない場合には、当該１ページ目の文書画像を、Ｃトナー、Ｍトナー、およびＹトナーを用いて印刷媒体に印刷し、さらに、原本保証のための地紋による付加文字列を、Ｋトナーを用いて印刷媒体に印刷する。
【００９３】
（原本保証機能の判定ロジック）
図１４は、本発明の第２実施形態に係るプリンタ１５０Ａによる原本保証機能の判定ロジックを示すフローチャートである。
【００９４】
まず、プリンタ１５０Ａは、ＰＣ１００Ａの設定保持部１２２に保持されている印刷設定において、原本保証機能に「ＯＮ」が設定されているか否かを判断する（ステップＳ１４０１）。ステップＳ１４０１において、原本保証機能に「ＯＮ」が設定されていないと判断された場合（ステップＳ１４０１：Ｎｏ）、プリンタ１５０Ａは、図１４に示す一連の処理を終了する。
【００９５】
一方、ステップＳ１４０１において、原本保証機能に「ＯＮ」が設定されていると判断された場合（ステップＳ１４０１：Ｙｅｓ）、プリンタ１５０Ａは、設定保持部１２２に保持されている印刷設定において、原本保証機能に「自動」が設定されているか否かを判断する（ステップＳ１４０２）。
【００９６】
ステップＳ１４０２において、原本保証機能に「自動」が設定されていないと判断された場合（ステップＳ１４０２：Ｎｏ）、プリンタ１５０Ａは、設定保持部１２２に保持されている印刷設定においてユーザが任意に指定した印刷方法（不可視トナーを用いた印刷方法、または、Ｋトナーを用いた地紋による印刷方法）により、付加文字列を印刷媒体に印刷する（ステップＳ１４０３）。そして、プリンタ１５０Ａは、図１４に示す一連の処理を終了する。
【００９７】
一方、ステップＳ１４０２において、原本保証機能に「自動」が設定されていると判断された場合（ステップＳ１４０２：Ｙｅｓ）、プリンタ１５０Ａは、印刷部２５２に、不可視トナーが装着されているか否かを判断する（ステップＳ１４０４）。
【００９８】
ステップＳ１４０４において、不可視トナーが装着されていると判断された場合（ステップＳ１４０４：Ｙｅｓ）、プリンタ１５０Ａは、不可視トナーを用いて、原本保証のための付加文字列を、印刷媒体に印刷する（ステップＳ１４０６）。そして、プリンタ１５０Ａは、図１４に示す一の処理を終了する。
【００９９】
一方、ステップＳ１４０４において、不可視トナーが装着されていないと判断された場合（ステップＳ１４０４：Ｎｏ）、プリンタ１５０Ａは、Ｋトナーを用いて、地紋による付加文字列を、印刷媒体に印刷する（ステップＳ１４０５）。そして、プリンタ１５０Ａは、図１４に示す一連の処理を終了する。
【０１００】
（プリンタ１５０Ａへ送信される印刷設定情報の一例）
図１５は、本発明の第２実施形態に係る印刷システム１０Ａにおいてプリンタ１５０Ａへ送信される印刷設定情報の一例を示す図である。
【０１０１】
図１５に示す印刷設定情報１５００は、印刷システム１０Ａにおいて、ＰＣ１００Ａから、プリンタ１５０Ａへ送信されるものである。この印刷設定情報１５００は、印刷システム１０Ａの設定保持部に保持されている印刷設定を、ＰＪＬ（Printer Job Language）形式に変換したものである。
【０１０２】
例えば、印刷設定情報１５００において、１行目の「@PJL SET GENPONHOSYO=AUTO」は、上記印刷設定において、原本保証機能に「自動」が設定されていることを表す。
【０１０３】
また、例えば、印刷設定情報１５００において、２行目の「@PJL SET ADDITIONALTEXT="あいうえお"」は、上記印刷設定において、付加文字列として「あいうえお」が設定されていることを表す。
【０１０４】
また、例えば、印刷設定情報１５００において、３行目の「@PJL SET ADDITIONALPOSITION=LEFTTOP」は、上記印刷設定において、付加文字列の印刷位置として「左上」が設定されていることを表す。
【０１０５】
また、例えば、印刷設定情報１５００において、４行目の「@PJL SET ADDITIONALTEXT="あいうえお"」は、ＰＣ１００Ａが使用するプリンタドライバとして、「ＲＰＣＳ（Refined Printing Command Stream）」が用いられていることを表す。
【０１０６】
この印刷設定情報１５００は、例えば、ＰＤＬ（Page Description Language）コマンド形式の印刷データ（すなわち、文書画像用の印刷データ）に付与されて、ＰＣ１００Ａから、プリンタ１５０Ａへ送信される。これにより、プリンタ１５０Ａは、原本保証に関する印刷設定を取得することができ、当該印刷設定に基づいて、不可視トナーまたは地紋による、現本を保証するための印刷を行うことができる。
【０１０７】
以上説明したように、上記実施形態の印刷システム１０Ａ，１０Ａによれば、プリンタ１５０，１５０Ａにおいて不可視トナーによる印刷が可能と判断された場合、不可視トナーを用いて原本性を保証する印刷を、プリンタ１５０，１５０Ａに行わせ、プリンタ１５０，１５０Ａにおいて不可視トナーによる印刷が可能ではないと判断された場合、不可視トナー以外の他のトナー（例えば、Ｋトナー）を用いて原本性を保証する印刷をプリンタ１５０，１５０Ａに行わせることができる。すなわち、上記実施形態の印刷システム１０Ａ，１０Ａによれば、プリンタ１５０，１５０Ａにおける不可視トナーによる印刷の可否によらず、原本性を保証する印刷をプリンタ１５０，１５０Ａに行わせることができる。したがって、上記実施形態の印刷システム１０Ａ，１０Ａによれば、画像形成装置における不可視トナーの利用可能状態に依らず、原本性を保証するための印刷を行うことができる。
【０１０８】
特に、上記実施形態の印刷システム１０Ａ，１０Ａによれば、プリンタ１５０，１５０Ａにおいて不可視トナーによる印刷が可能ではないと判断された場合、不可視トナー以外の他のトナーを用いて、原本性を保証する地紋の印刷をプリンタ１５０，１５０Ａに行わせることができる。これにより、例えば、地紋が印刷された印刷媒体をコピーした場合には、コピー先の印刷媒体において、地紋が浮き上がることとなり、当該コピー先の印刷媒体が、二次的にコピーされたものであることが把握できるようになる。したがって、コピー元の印刷媒体の原本性を保証することができる。
【０１０９】
以上、本発明の好ましい実施形態について詳述したが、本発明はこれらの実施形態に限定されるものではなく、特許請求の範囲に記載された本発明の要旨の範囲内において、種々の変形又は変更が可能である。
【０１１０】
例えば、上記実施形態では、Ｙトナー１６２Ｙ、Ｃトナー１６２Ｃ、Ｍトナー１６２Ｍ、Ｋトナー１６２Ｋを備えたプリンタ１５０において、Ｋトナー１６２Ｋの代わりに、不可視トナーを装着した場合を例に説明した。但し、本発明はこれに限定されない。例えば、本発明は、Ｙトナー１６２Ｙ、Ｃトナー１６２Ｃ、Ｍトナー１６２Ｍ、Ｋトナー１６２Ｋを備えたプリンタ１５０において、これら４つのトナーに加えて、不可視トナーを装着した場合であっても、適用可能である。
【０１１１】
また、例えば、上記実施形態では、不可視トナーまたは地紋により、原本性を保証するための文字列を印刷するようにしているが、これに限らず、例えば、不可視トナーまたは地紋により、原本性を保証するための図形等を印刷するようにしてもよい。
【０１１２】
また、例えば、上記実施形態では、プリンタ１５０，１５０Ａに不可視トナーが装着されている場合には、不可視トナーによる印刷が可能と判断するようにしているが、これに限らず、例えば、プリンタ１５０，１５０Ａに不可視トナーが装着されている場合であっても、不可視トナーのトナー残量が所定量以下の場合、不可視トナーによる印刷が可能ではないと判断するようにしてもよい。
【０１１３】
また、例えば、不可視トナー以外の他のトナーを用いて原本性を保証する印刷を行う場合、地紋を印刷する方法に限らず、他の方法（例えば、コピー時に消えてしまうような非常に小さい文字をページの片隅にプリントする方法等）を用いて、原本性を保証する印刷を行うようにしてもよい。
【符号の説明】
【０１１４】
１０，１０Ａ  印刷システム
１２  ネットワーク
１００，１００Ａ  ＰＣ（印刷制御装置）
１１０  アプリケーション
１２０  ドライバ
１２１  ＵＩ部
１２２  設定保持部
１２３  アプリケーションＩ／Ｆ部
１２４  判断部
１２５  文字列付加部
１２６  地紋生成部
１２７  色変換部
１２８  ＰＤＬ生成部
１３０  通信部
１５０，１５０Ａ  プリンタ
２５１  通信部
２５２  印刷部
２５３  検知部
２５４  判断部
２５５  地紋生成部
【先行技術文献】
【特許文献】
【０１１５】
【特許文献１】特開２００７−７８９８１号公報
【図１】
2019159163.tif 000003
【図２】
2019159163.tif 000004
【図３】
2019159163.tif 000005
【図４】
2019159163.tif 000006
【図５】
2019159163.tif 000007
【図６】
2019159163.tif 000008
【図７】
2019159163.tif 000009
【図８】
2019159163.tif 000010
【図９】
2019159163.tif 000011
【図１０】
2019159163.tif 000012
【図１１】
2019159163.tif 000013
【図１２】
2019159163.tif 000014
【図１３】
2019159163.tif 000015
【図１４】
2019159163.tif 000016
【図１５】
2019159163.tif 000017